(57)【特許請求の範囲】
【請求項１】
記憶部に記憶された画像ファイルが選択操作される画像ファイル選択部と、前記画像ファイル選択部で選択された画像ファイルのコンテンツをプレビュー表示するプレビュー表示部と、前記プレビュー表示部を作動させるプレビュー表示キーを備えている画像形成装置であって、
前記プレビュー表示キーが操作されたときに、前記画像ファイル選択部で選択された画像ファイルの容量が所定容量より大きいときに、前記プレビュー表示部を作動させる前に警告表示する報知部を備えている画像形成装置。
【請求項２】
前記報知部は、前記画像ファイルの全容量が所定容量より大きいときに警告報知する請求項１記載の画像形成装置。
【請求項３】
前記報知部は、前記画像ファイルに含まれるコンテンツの一枚当りの平均容量が所定容量より大きいときに警告報知する請求項1記載の画像形成装置。
【請求項４】
前記報知部は、前記画像ファイルに含まれる一枚目のコンテンツの容量が所定容量より大きいときに警告報知する請求項1記載の画像形成装置。
【発明の詳細な説明】
【技術分野】
【０００１】
本発明は、記憶部に記憶された画像ファイルが選択操作される画像ファイル選択部と、前記画像ファイル選択部で選択された画像ファイルのコンテンツをプレビュー表示するプレビュー表示部と、前記プレビュー表示部を作動させるプレビュー表示キーを備えている画像形成装置に関する。
【背景技術】
【０００２】
大容量のハードディスクなどの記憶部が備えられた画像形成装置は、スキャナなどで読み取り、または、パーソナルコンピュータ等から入力された画像データの画像出力を行うだけではなく、当該画像データを画像ファイルとして記憶部に記憶することができる。オペレータは、記憶部に記憶された画像ファイルを選択して呼び出し、当該画像ファイルの印刷を実行することができる。
【０００３】
記憶部から所望の画像ファイルをオペレータが容易に選択することができるように、このような画像形成装置は画像ファイルのプレビュー表示が可能に構成される。オペレータは、液晶ディスプレイなどで構成される表示部に選択した画像ファイルのコンテンツをプレビュー表示して必要な画像を確認することができる。
【０００４】
ところで、表示部はビデオＲＡＭに展開された画像データに基づいてプレビュー表示するように構成されている。よって、プレビュー表示したい画像ファイルが多数あるときや画像ファイルの容量が大きいときなど、画像ファイルの画像データをビデオＲＡＭに展開するために必要な負荷が大きくなると、プレビュー表示に長い時間が必要となり、画像形成装置の操作性や生産性が低下する。
【０００５】
そこで、不要なプレビュー表示を防止することができる技術として、特許文献１には、不要な画像のプレビュー表示をなくして、画像形成装置の操作性や生産性の低下を防止する技術として、ホストコンピュータから印刷情報を受信し、前述の受信した印刷情報を記録媒体に印刷する手段の他に、ホストコンピュータを介さずに着脱可能な外部記憶媒体から外部記憶媒体インタフェースを通して直接印刷情報を読み込み、前述の直接読み込んだ印刷情報を解析して印刷する手段と、前述の直接読み込んだ印刷情報を解析して印刷画像をプレビュー表示できる手段と、ユーザの操作を伝えることが出来る手段を持つ印刷装置において、ユーザがブックマーク情報を設定する手段と、ユーザの印刷アクションにより前述のブックマーク情報を修正する手段と、前述の外部記憶媒体内に存在する前述のブックマーク情報を内部の記憶領域に読み込む手段と、前述の内部の記憶領域に保存した前述のブックマーク情報を基に前述のプレビュー表示できる手段に表示を行う表示制御手段、を持つことを特徴とする印刷装置が提案されている。
【０００６】
特許文献１に提案された印刷装置では、オペレータはブックマーク情報から選択した画像ファイルのプレビュー表示を行うことができるため、選択することのない画像ファイルのプレビュー表示を防止することができ、プレビュー表示に必要な時間を無駄に浪費することを防止することができる。
【特許文献１】特開２００４−１２８０号公報
【発明の開示】
【発明が解決しようとする課題】
【０００７】
しかし、特許文献１に提案された印刷装置では、ブックマーク情報に設定された画像ファイルであれば、オペレータは自由に画像ファイルを選択することができ、選択された画像ファイルのコンテンツはプレビュー表示されてしまうので、オペレータが選択を間違ったときには無駄に作業時間を浪費することになる。
【０００８】
また、画像ファイルのコンテンツをプレビュー表示するには、画像ファイルの画像データに所定の画像処理を施す必要があるが、画像ファイルの容量が大きいときには当該画像処理に長い時間が必要となる。
【０００９】
従って、プレビュー表示すべき画像ファイルとして、オペレータが誤って選択した画像ファイルの容量が大きいとき、長い時間の経過後にオペレータは選択ミスに気付くことになり無駄に長い作業時間を浪費することになる。また、仮に、オペレータがプレビュー表示の画像処理中に画像ファイルの選択ミスに気付いても当該画像処理が終了するまで待たねばならず、無駄に長い作業時間を浪費することに変わりない。
【００１０】
更に、プレビュー表示するために長い時間、待機させられることが予め判明しているときには、万が一のために画像ファイルのコンテンツを確認しようとしていたオペレータは、長い作業時間を浪費することになるプレビュー表示を行うことなく、当該画像ファイルの印刷など、所望の処理を行うこともできる。
【００１１】
本発明の目的は、上述の問題に鑑み、オペレータの誤操作により、時間のかかるプレビュー表示が誤って実行されることを防止し、作業時間の浪費を防止することができる画像形成装置を提供する点にある。
【課題を解決するための手段】
【００１２】
上述の目的を達成するため、本発明による画像形成装置の第一の特徴構成は、特許請求の範囲の書類の請求項１に記載した通り、記憶部に記憶された画像ファイルが選択操作される画像ファイル選択部と、前記画像ファイル選択部で選択された画像ファイルのコンテンツをプレビュー表示するプレビュー表示部と、前記プレビュー表示部を作動させるプレビュー表示キーを備えている画像形成装置であって、前記プレビュー表示キーが操作されたときに、前記画像ファイル選択部で選択された画像ファイルの容量が所定容量より大きいときに、前記プレビュー表示部を作動させる前に警告表示する報知部を備えている点にある。
【００１３】
上述の構成によれば、容量が大きく、プレビュー表示に時間がかかる画像ファイルがプレビュー表示する画像ファイルとして、オペレータにより誤って選択されても、プレビュー表示が実行される前に、報知部により警告表示されるため、誤ったプレビュー表示を防止ことができる。
【００１４】
同第二の特徴構成は、同請求項２に記載した通り、上述の第一の特徴構成に加えて、前記報知部は、前記画像ファイルの全容量が所定容量より大きいときに警告報知する点にある。
【００１５】
上述の構成によれば、画像ファイルのコンテンツ構成を解析する必要がないため、報知部による警告表示を行うか否かの判別にかかる負荷を小さなものとすることができる。
【００１６】
同第三の特徴構成は、同請求項３に記載した通り、上述の第一の特徴構成に加えて、前記報知部は、前記画像ファイルに含まれるコンテンツの一枚当りの平均容量が所定容量より大きいときに警告報知する点にある。
【００１７】
画像ファイルが複数枚のコンテンツから構成されるとき、数枚のコンテンツのプレビュー表示を確認すれば、オペレータは当該画像ファイルが所望の画像ファイルか否かを判断できることが多い。
【００１８】
よって、プレビュー表示部により画像ファイルの全てのコンテンツがプレビュー表示されることは少ない。このようなときには、プレビュー表示部の負荷は、画像ファイルのコンテンツの一枚当りの平均容量で判断することが好ましい。
【００１９】
上述の構成によれば、画像ファイルに含まれるコンテンツをプレビュー表示する際の実質的な負荷が大きいときに、報知部による警告報知を行うことができる。
【００２０】
同第四の特徴構成は、同請求項４に記載した通り、上述の第一の特徴構成に加えて、前記報知部は、前記画像ファイルに含まれる一枚目のコンテンツの容量が所定容量より大きいときに警告報知する点にある。
【００２１】
多くの画像形成装置は、画像ファイルのコンテンツをプレビュー表示するとき、まず、コンテンツの一枚目をプレビュー表示し、オペレータの操作に基づいて、二枚目以降のコンテンツを表示するように構成される。
【００２２】
上述の構成によれば、画像ファイルに含まれるコンテンツをプレビュー表示する際の初期における負荷が大きいときに、報知部による警告報知を行うことができる。
【発明の効果】
【００２３】
以上説明した通り、本発明によれば、オペレータの誤操作により、時間のかかるプレビュー表示が誤って実行されることを防止し、作業時間の浪費を防止することができる画像形成装置を提供することができるようになった。
【発明を実施するための最良の形態】
【００２４】
以下に、本発明を適用した画像形成装置の一例であるカラー複合機の実施形態を説明する。
【００２５】
図２に示すように、電子写真方式を採用したカラー複合機１００は、原稿給紙台１１１に載置された原稿等から原稿画像を光電変換してデジタル画像データとして読み取る画像読取部１１０と、トナー像を形成して用紙収容部４００から搬送された用紙に転写し、用紙に定着して出力する画像出力部１２０と、ＬＡＮを介してパーソナルコンピュータ等と通信を行うネットワークインタフェース部１３０と、公衆回線を介してファクシミリ等と通信を行うファックス通信部１４０と、カラー複合機１００のマンマシンインタフェースである操作部２００等の機能ブロックと、これらの機能ブロックを統括制御するシステム制御部３０等を備えて構成される。
【００２６】
画像読取部１１０は、原稿給紙台１１１に載置された原稿を順次給紙する原稿自動送り装置と、原稿を照明する光源と、複数のミラー及びレンズを介して入光する原稿からの反射光を光電変換して原稿画像をデジタル画像データとして読み取るＣＣＤ等の撮像素子を備え、画像読取制御部１１により画像読取動作が制御される。
【００２７】
画像出力部１２０は、感光体と、感光体表面を一様に帯電する帯電装置と、レーザビームを走査して感光体表面を露光して静電潜像を形成する露光装置と、形成された静電潜像をトナー像として顕像化する現像装置などを備えた感光体ユニットをＭ、Ｃ、Ｙ、Ｋのトナー色毎に備え、各感光体ユニットで形成されたトナー像を重畳して用紙収容部４００から搬送された用紙に転写し、トナー像を溶融して用紙に定着させて出力する。画像出力部１２０の画像形成動作は画像出力制御部１２により制御される。
【００２８】
ネットワークインタフェース部１３０は、基板上に配置されたマイクロコンピュータ等を備えたネットワーク制御部１３により構成され、ＬＡＮを介してパーソナルコンピュータ等と直接、または、メールに添付してデジタル画像データでなる画像ファイルを送受信する。
【００２９】
ファックス通信部１４０は、基板上に配置されたマイクロコンピュータ等を備えた通信制御部１４により構成され、公衆回線を介してファクシミリ通信により画像ファイルを送受信する。
【００３０】
図３に示すように、操作部２００は、カラー複合機１００の現在設定されている印刷枚数や印刷濃度等の動作モードを表示し、更に、動作モードを変更設定するソフトウェアキーでなる操作キーが配置された操作画面等を表示する液晶表示部２１と、液晶表示部２１と重ね合わせて設置され、ソフトウェアキーの押下を検出するタッチパネル２２と、コピーモード動作時に点灯する印刷ランプやファックス送信モード動作時に点灯する送信ランプなど、カラー複合機１００の動作モードを消点灯により報知する状態表示ＬＥＤ２３と、ハードウェアキー２４でなる操作キーを備えて構成され、操作制御部２０により制御される。
【００３１】
操作部２００にはハードウェアキー２４として、印刷枚数や印刷濃度等の入力に使用される数値キー２４ａと、カラー複合機１００に印刷やファックス送信やメール送信等を開始させるスタートキー２４ｂと、コピーモードでカラー複合機１００を動作させるコピーキー２４ｃと、ファックス送信モードまたはメール送信モードでカラー複合機１００を動作させる送信キー２４ｄと、デジタル画像データを文書ボックスに記憶させる文書ボックスモードでカラー複合機を動作させる文書ボックスキー２５などが設けられている。
【００３２】
文書ボックスは大容量ハードディスクなどで構成される記憶部１５でなり、画像読取部１１０により読み取られたデジタル画像データを画像ファイルとして記憶する。記憶部１５には、一または複数の領域（以下、「ユーザボックス」と記載する。）が設定され、ユーザボックス毎に所有者と画像ファイルの記憶が可能な容量が設定されている。
【００３３】
図４に示すように、システム制御部３０に、画像読取制御部１１と画像出力制御部１２とネットワーク制御部１３と通信制御部１４と操作制御部２０と記憶部１５が、通信バスを介して接続されている。
【００３４】
各制御部にはＲＯＭやＲＡＭなどのメモリを内蔵するマイクロコンピュータと周辺回路が備えられ、システム制御部３０は通信バスを介して制御信号を出力してその他の制御部を統括制御し、その他の制御部は制御信号に基づいて夫々の制御対象に所定の動作を実行させる。
【００３５】
操作制御部２０は、マイクロコンピュータ２０ａと、周辺回路として、液晶表示部２１に表示する画面データを展開するＶＲＡＭ２０ｂと、タッチパネル２２の入力インタフェース回路２０ｃと、状態表示ＬＥＤ２３の駆動回路２０ｄと、操作キー２４の入力インタフェース回路２０ｅなどを備えている。
【００３６】
操作制御部２０は、操作キーであるハードウェアキー２４が押下されると入力インタフェース回路２０ｅを介して押下されたハードウェアキー２４を検出し、操作画面等に配置された操作キーであるソフトウェアキーが押下されるとタッチパネル２２及びインタフェース回路２０ｃを介して押下されたソフトウェアキーを検出し、検出した操作キーに関する情報をシステム制御部３０に出力する。
【００３７】
また、操作制御部２０は、システム制御部３０からの制御信号に基づいて、駆動回路２０ｄを介して状態表示ＬＥＤ２０ｅを消点灯するとともに、ＲＯＭに格納された画像データを読み出し、ＶＲＡＭ２０ｂに展開して液晶表示部２１にソフトウェアキーが配置された操作画面等を表示する。
【００３８】
オペレータにより文書ボックスキー２５が押下されると、システム制御部３０は、カラー複合機１００を文書ボックスモードで動作させるべく、各制御部に制御信号を出力する。
【００３９】
当該制御信号が入力された操作制御部２０により、文書ボックスモードの操作画面（以下、「文書ボックス画面」と記載する。）が液晶表示部２１に表示される。図５に示すように、文書ボックス画面は「ユーザボックス」タブ、「ジョブボックス」タブ、「外部メモリ」タブ、「ファックスボックス」タブによって切替え可能な複数の画面で構成される。
【００４０】
オペレータにより文書ボックス画面の「ユーザボックス」タブが押下されて選択されると、記憶部１５のユーザボックスを管理する画面（以下、「ユーザボックス画面」と記載する。）が操作制御部２０により表示される。
【００４１】
以下に、文書ボックスとしての記憶部１５に設定されたユーザボックスへの画像ファイルの保存について説明する。
【００４２】
オペレータにより、画像読取部１１０に原稿がセットされ、文書ボックスキー２５が押下されると、図５に示すように、液晶表示部２１にユーザボックス画面が表示される。ユーザボックス画面には、記憶部１５に設定されたユーザボックスに付与された通し番号と、ユーザボックスの名前と、ユーザボックスの所有者と、ユーザボックスの使用率（画像ファイルを記憶可能な容量に対する実際に記憶された画像ファイルの容量）がリスト表示されている。
【００４３】
オペレータにより、画像ファイルを保存するユーザボックスの名前を含む行が押下されて選択された後、「文書保存」キーが押下されると、図６に示すように、画像読取部１１０で原稿を読み取る際の原稿の種類や読み取り濃度などの動作モードに対応するソフトウェアキーが配置され、各動作モードの設定が可能な画面（以下、「読取設定画面」と記載する。）が表示される。
【００４４】
オペレータにより、必要に応じて読取設定画面で動作モードの設定が行われた後、スタートキー２４ｂが押下されると、画像読取部１１０で原稿画像の読み取りが実行され、読み取られたデジタル画像データが画像ファイルとして、オペレータにより選択されたユーザボックスに保存される。
【００４５】
以下に、文書ボックスとしての記憶部１５に設定されたユーザボックスに保存された画像ファイルの印刷について説明する。
【００４６】
オペレータにより文書ボックスキー２５が押下されると、図５に示すように、液晶表示部２１にユーザボックス画面が表示される。
【００４７】
オペレータにより、印刷したい画像ファイルが保存されたユーザボックスの名前を含む行が押下されて選択された後、「開く」キーが押下されると、図７に示すように、選択されたユーザボックスに保存された画像ファイルを選択可能な画面（以下、「画像ファイル選択画面」と記載する。）が表示される。
【００４８】
画像ファイル選択画面には、チェックマークをセットしてオペレータが所望の画像ファイルを選択するチェックボックスと、ユーザボックスに保存された画像ファイルの名前と、画像ファイルの保存日時と、画像ファイルの全容量がリスト表示されている。
【００４９】
オペレータにより、チェックボックスが押下されて印刷したい画像ファイルが選択された後、「印刷」キーが押下されると、図８に示すように、画像出力部１２０で印刷する際の用紙選択や片面／両面印刷などの動作モードが設定可能な画面（以下、「印刷設定画面」と記載する。）が表示される。
【００５０】
即ち、操作制御部２０の一機能により本発明の画像ファイル選択部が実現され、画像ファイル選択部により記憶部１５に記憶された画像ファイルが選択操作される。
【００５１】
オペレータにより、必要に応じて印刷設定画面で動作モードの設定が行われた後、スタートキー２４ｂが押下されると、選択された画像ファイルのデジタル画像データに基づいて画像出力部１４０により印刷が実行される。
【００５２】
以下に、文書ボックスとしての記憶部１５に設定されたユーザボックスに保存された画像ファイルのファックス送信またはメール送信について説明する。
【００５３】
オペレータにより文書ボックスキー２５が押下されると、図５に示すように、液晶表示部２１にユーザボックス画面が表示される。
【００５４】
オペレータにより、送信したい画像ファイルが保存されたユーザボックスの名前を含む行が押下されて選択された後、「開く」キーが押下されると、図７に示すように、画像ファイル選択画面が表示される。
【００５５】
オペレータにより、送信したい画像ファイルの名前を含む行が押下されて選択された後、「送信」キーが押下されると、図９に示すように、選択された画像ファイルの送り先などが指定可能な画面（以下、「送信指定画面」と記載する。）が表示される。
【００５６】
オペレータにより、送信指定画面で送り先が指定された後、スタートキー２４ｂが押下されると、選択された画像ファイルが通信制御部１４またはネットワーク制御部１３により指定された送り先にファックス送信またはメール送信される。
【００５７】
上述のように、記憶部１５に記憶された画像ファイルをカラー複合機１００により印刷やファックス送信やメール送信するとき、オペレータは、画像ファイル選択画面に表示されたリストから画像ファイルの名前などを参考にして所望の画像ファイルを選択することになる。
【００５８】
カラー複合機１００は記憶部１５に記憶された画像ファイルのコンテンツをプレビュー表示することができるように構成され、記憶部１５に記憶された画像ファイルが多くなり、または、画像ファイルを保存してから暫く時間が経過したこと等により、所望の画像ファイルの名前を失念しても、オペレータは所望の画像ファイルを間違いなく選択することができる。
【００５９】
以下に、文書ボックスとしての記憶部１５に設定されたユーザボックスに保存された画像ファイルのプレビュー表示について説明する。
【００６０】
ユーザボックスに保存された画像ファイルを印刷、または送信する際に表示される画像ファイル選択画面は、図１０（ａ）に示すように、ユーザボックスに保存された画像ファイルのコンテンツを液晶表示部２１にプレビュー表示させるための「プレビュー」キーを備えている。
【００６１】
オペレータによりプレビュー表示したい画像ファイルの名前の行が押圧されて選択され、「プレビュー」キーが押下されると、操作制御部２０により、記憶部１５から読み出された当該画像ファイルのデジタル画像データがＶＲＡＭ２０ｂに展開され、当該画像ファイルのコンテンツが液晶表示部２１に表示される。
【００６２】
即ち、操作制御部２０の一機能により本発明のプレビュー表示部とプレビュー表示キーが実現され、プレビュー表示部により画像ファイル選択画面で選択された画像ファイルのコンテンツがプレビュー表示され、プレビュー表示キーによりプレビュー表示部が作動される。
【００６３】
ところで、操作制御部２０は、記憶部１５から選択された画像ファイルを読み出して、必要に応じてラスタライズし、更に、間引き処理などを行って液晶表示部２１に表示可能なサイズに調整してＶＲＡＭ２０ｂに展開し、液晶表示部２１にプレビュー表示する。よって、ファイルの容量が大きいときには、プレビュー表示に関する負荷が大きくなり、画像ファイルのコンテンツがプレビュー表示されるまでには時間を要することになる。
【００６４】
そこで、図１０（ｂ）に示すように、操作制御部２０は、「プレビュー」キーが押下されたときに、画像ファイル選択画面で選択された画像ファイルの容量が所定容量より大きいときに、プレビュー表示動作を開始する前に、選択された画像ファイルのプレビュー表示には時間がかかる旨をオペレータに確認する画面（以下、「警告画面」と記載する。）を液晶表示部２１に表示するように構成される。
【００６５】
具体的には、操作制御部２０は、選択された画像ファイルに含まれるコンテンツの一枚当りの平均容量が所定容量より大きいときに警告報知する。オペレータにより警告画面に配置された「ＯＫ」キーが押下されると操作制御部２０によりプレビュー表示動作が開始される。オペレータにより警告画面に配置された「キャンセル」キーが押下されると、操作制御部２０により、プレビュー表示動作がキャンセルされ、警告画面にかえて、液晶表示部２１に画像ファイル選択画面が表示される。
【００６６】
即ち、操作制御部２０の一機能により本発明の報知部が実現され、「プレビュー」キーが操作されたときに、画像ファイル選択画面で選択された画像ファイルの全容量が所定容量より大きいときに、プレビュー表示部を作動させる前に報知部が作動され警告表示される。
【００６７】
以下に、操作制御部２０による画像ファイルのプレビュー表示動作について、図１に示すフローチャートを用いて説明する。
【００６８】
記憶部１５に記憶された画像ファイルを印刷し、または、送信しようとするとき、オペレータにより文書ボックスキー２５が押下されると、操作制御部２０により液晶表示部２１にユーザボックス画面が表示される（Ｓ１）。
【００６９】
オペレータにより印刷または送信したい画像ファイルが保存されたユーザボックスが選択されると、操作制御部２０により液晶表示部２１に画像ファイル選択画面が表示され、ユーザボックスに保存された画像ファイルがリストとして一覧表示される（Ｓ２、Ｓ３）。
【００７０】
オペレータによりリストから所望の画像ファイルが押下されて選択され、「プレビュー」キーが押下されると、操作制御部２０は、画像ファイルに含まれるコンテンツの一枚当りの平均容量を算出して予め設定された所定容量と比較する（Ｓ４、Ｓ５、Ｓ６）。
【００７１】
操作制御部２０は平均容量が所定容量以下であれば画像ファイルのコンテンツをプレビュー表示する（Ｓ６、Ｓ９）。操作制御部２０は、平均容量が所定容量より大きければ液晶表示部２１に警告画面を表示し、オペレータによりＯＫキーが押下されると画像ファイルのコンテンツをプレビュー表示し、オペレータによりキャンセルキーが押下されると警告画面にかえて液晶表示部２１に画像ファイル選択画面を表示する（Ｓ６、Ｓ７、Ｓ８、Ｓ９）。
【００７２】
以下に、別実施形態について説明する。
【００７３】
上述の実施形態では、報知部は、画像ファイル選択画面で選択された画像ファイルに含まれるコンテンツの一枚当りの平均容量が所定容量より大きいときに警報報知するものとして説明したが、画像ファイルの全容量が所定容量より大きいときに警告報知するものであってもよい。
【００７４】
上述の実施形態では、報知部は、画像ファイル選択画面で選択された画像ファイルに含まれるコンテンツの一枚当りの平均容量が所定容量より大きいときに警報報知するものとして説明したが、画像ファイルに含まれる一枚目のコンテンツの容量が所定容量より大きいときに警告報知するものであってもよい。
【００７５】
上述の実施形態では、カラー複合機１００を用いて本発明の画像形成装置について説明したが、画像ファイルのプレビュー表示が可能に構成された任意の画像形成装置に適用することが可能であることは言うまでもない。
【００７６】
上述の実施形態では、画像ファイル選択画面は、ユーザボックスに保存された画像ファイルをリスト表示するものとしたが、図１１に示すように、画像ファイルのサムネイルを並べて表示するものであっても良い。この場合、オペレータはサムネイルで確認可能な画像ファイルに対してプレビュー表示する必要はなく、操作ミスにより発生するプレビュー表示に関する不要な時間をより効率的に排除することができる。
【００７７】
尚、上述した実施形態は何れも本発明の一実施例に過ぎず、当該記載により本発明の範囲が限定されるものではなく、各部の具体的構成は本発明による作用効果を奏する範囲において適宜変更設計することができることは言うまでもない。
【図面の簡単な説明】
【００７８】
【図１】操作制御部によるプレビュー表示動作を説明するフローチャート
【図２】カラー複合機の説明図
【図３】操作部の説明図
【図４】操作制御部の説明図
【図５】ユーザボックス画面の説明図
【図６】読取設定画面の説明図
【図７】画像ファイル選択画面の説明図
【図８】印刷設定画面の説明図
【図９】送信指定画面の説明図
【図１０】（ａ）は画像ファイル選択画面の説明図、（ｂ）は警告画面の説明図
【図１１】別実施形態での画像ファイル選択画面の説明図
【符号の説明】
【００７９】
１５：記憶部
２０：画像ファイル選択部、プレビュー表示部、プレビュー表示キー、報知部（操作制御部）
２１：液晶表示部
２２：タッチパネル
２５：文書ボックスキー
３０：システム制御部
１００：カラー複合機
【図１】
0004948321.tif 000002
【図２】
0004948321.tif 000003
【図３】
0004948321.tif 000004
【図４】
0004948321.tif 000005
【図５】
0004948321.tif 000006
【図６】
0004948321.tif 000007
【図７】
0004948321.tif 000008
【図８】
0004948321.tif 000009
【図９】
0004948321.tif 000010
【図１０】
0004948321.tif 000011
【図１１】
0004948321.tif 000012